(57)【要約】【課題】暗い被写体を撮影するときに液晶モニタに表示された文字および図形の視認性が良好な撮像装置を提供する。【解決手段】撮影設定情報を表示する液晶モニタ１０４と、被写体の明るさを検出する測光装置１０６と、測光装置１０６で検出された被写体の明るさが所定値以下の場合に、液晶モニタ１０４に表示する撮影設定情報の表示態様を第１表示形態から、撮影設定情報を液晶モニタ１０４に表示する際の液晶モニタ１０４全体の表示輝度が第１表示形態より低い、第２表示形態へ変更する制御回路１０１とを備える。【選択図】図２
2009038613.tif 000002
【特許請求の範囲】
【請求項１】
撮影設定情報を表示する表示モニタと、
被写体の明るさを検出する検出手段と、
前記検出手段で検出された被写体の明るさが所定値以下の場合に、前記表示モニタに表示する撮影設定情報の表示態様を第１表示形態から、前記撮影設定情報を前記表示モニタに表示する際の前記表示モニタ全体の表示輝度が第１表示形態より低い、第２表示形態へ変更する変更手段とを備えることを特徴とする撮像装置。
【請求項２】
請求項１に記載の撮像装置において、
前記撮影設定情報は、背景画像に前記撮影設定情報を示す文字情報および／又は図形情報を重ねて表示する表示形態で前記表示モニタに表示され、
前記変更手段は、前記検出手段で検出された被写体の輝度が所定値以下の場合に、前記表示モニタに表示する表示形態を、前記文字情報および／又は図形情報より前記背景画像の表示輝度が高い第１表示形態から、前記文字情報および／又は図形情報より前記背景画像の表示輝度が低い第２表示形態へ変更することを特徴とする撮像装置。
【請求項３】
請求項２に記載の撮像装置において、
前記第１表示形態と前記第２表示形態とは、文字情報および／又は図形情報と、前記背景画像との表示色が異なることを特徴とする撮像装置。
【請求項４】
請求項１乃至３のいずれか１項に記載の撮像装置において、
前記検出手段は、被写体の輝度を検出する測光センサからの信号および被写体を撮像する撮像素子からの信号のいずれか一方の信号を用いて前記被写体の明るさを検出することを特徴とする撮像装置。
【請求項５】
請求項１に記載の撮像装置において、
被写体像を観察可能なファインダと、
前記ファインダに対して所定距離以内に対象物が存在するか否かを検出する接眼検出手段とを備え、
前記変更手段は、さらに、前記接眼検出手段により所定距離以内に対象物が存在することが検出されると、前記表示モニタに表示する撮影設定情報の表示形態を第１表示形態から、前記撮影設定情報を前記表示モニタに表示する際の前記表示モニタ全体の表示輝度が第１表示形態より低い、第２表示形態へ変更することを特徴とする撮像装置。
【請求項６】
撮影設定情報を表示する表示モニタと、
被写体像を観察可能なファインダと、
前記ファインダに対して所定距離以内に対象物が存在するか否かを検出する接眼検出手段と、
前記接眼検出手段により所定距離以内に対象物が存在することが検出されると、前記表示モニタに表示する撮影設定情報の表示形態を第１表示形態から、前記撮影設定情報を前記表示モニタに表示する際の前記表示モニタ全体の表示輝度が第１表示形態より低い、第２表示形態へ変更する変更手段とを備えることを特徴とする撮像装置。
【発明の詳細な説明】
【技術分野】
【０００１】
本発明は、表示モニタを備えた撮像装置に関する。
【背景技術】
【０００２】
周囲の光に応じて液晶ディスプレイ装置のバックライトの明るさのレベルを調節するデジタルカメラが従来技術として知られている（たとえば、特許文献１参照）。
【特許文献１】特開２００２−１９９２５６号公報
【発明の開示】
【発明が解決しようとする課題】
【０００３】
特許文献１に記載のデジタルカメラでは、周囲の光に応じてバックライトの明るさのレベルを下げたとき、表示された文字および図形が見づらい場合があるという問題点がある。
【課題を解決するための手段】
【０００４】
（１）請求項１の発明の撮像装置は、撮影設定情報を表示する表示モニタと、被写体の明るさを検出する検出手段と、検出手段で検出された被写体の明るさが所定値以下の場合に、表示モニタに表示する撮影設定情報の表示態様を第１表示形態から、撮影設定情報を表示モニタに表示する際の表示モニタ全体の表示輝度が第１表示形態より低い、第２表示形態へ変更する変更手段とを備えることを特徴とする。
（２）請求項２の発明は、請求項１に記載の撮像装置において、撮影設定情報は、背景画像に撮影設定情報を示す文字情報および／又は図形情報を重ねて表示する表示形態で表示モニタに表示され、変更手段は、検出手段で検出された被写体の輝度が所定値以下の場合に、表示モニタに表示する表示形態を、文字情報および／又は図形情報より背景画像の表示輝度が高い第１表示形態から、文字情報および／又は図形情報より背景画像の表示輝度が低い第２表示形態へ変更することを特徴とする。
（３）請求項３の発明は、請求項２に記載の撮像装置において、第１表示形態と第２表示形態とは、文字情報および／又は図形情報と、背景画像との表示色が異なることを特徴とする。
（４）請求項４の発明は、請求項１乃至３のいずれか１項に記載の撮像装置において、検出手段は、被写体の輝度を検出する測光センサからの信号および被写体を撮像する撮像素子からの信号のいずれか一方の信号を用いて被写体の明るさを検出することを特徴とする。
（５）請求項５の発明は、請求項１に記載の撮像装置において、被写体像を観察可能なファインダと、ファインダに対して所定距離以内に対象物が存在するか否かを検出する接眼検出手段とを備え、変更手段は、さらに、接眼検出手段により所定距離以内に対象物が存在することが検出されると、表示モニタに表示する撮影設定情報の表示形態を第１表示形態から、撮影設定情報を表示モニタに表示する際の表示モニタ全体の表示輝度が第１表示形態より低い、第２表示形態へ変更することを特徴とする。
（６）請求項６の発明の撮像装置は、撮影設定情報を表示する表示モニタと、被写体像を観察可能なファインダと、ファインダに対して所定距離以内に対象物が存在するか否かを検出する接眼検出手段と、接眼検出手段により所定距離以内に対象物が存在することが検出されると、表示モニタに表示する撮影設定情報の表示形態を第１表示形態から、撮影設定情報を表示モニタに表示する際の表示モニタ全体の表示輝度が第１表示形態より低い、第２表示形態へ変更する変更手段とを備えることを特徴とする。
【発明の効果】
【０００５】
本発明によれば、暗い被写体を撮影するときにおける液晶モニタに表示された表示対象画像の視認性が良好になる。
【発明を実施するための最良の形態】
【０００６】
以下、図を参照して本発明の実施の形態を説明する。本発明の実施形態の撮像装置1は、被写体の輝度を検出する測光装置が検出した輝度に応じて、液晶モニタに表示された文字および図形の少なくとも一方と、その文字および図形の少なくとも一方の背景との間の明暗関係を反転することができる。
【０００７】
図１は本発明の実施形態による撮像装置１を示す図である。図１（ａ）は撮像装置１を斜め前方から見た図であり、図１（ａ）は撮像装置１を斜め後方から見た図である。
【０００８】
図１（ａ）に示すように、撮像装置１の正面には、撮像光学系１１１を構成する撮影レンズ１１１Ａと、撮影レンズ１１１Ａを格納したレンズ鏡胴１１１Ｂとが設けられている。撮像装置１の上面には、撮影動作を行わせるためのレリーズボタン１０３Ａと、被写体を照明する照明装置１０７とが設けられている。
【０００９】
図１（ｂ）に示すように、撮像装置１の背面には、液晶モニタ１０４、メニューボタン１０３Ｂ、マルチセレクタ１０３Ｃ、決定（ＯＫ）ボタン１０３Ｄなどが設けられている。
【００１０】
液晶モニタ１０４は、後述する撮像素子１１２により撮像された被写体像を表示したり、メモリカードに記録されている画像を表示したりする。また、撮像装置１の各種設定を行うためのメニュー画面を表示する。
【００１１】
メニューボタン１０３Ｂは、液晶モニタ１０４に上述のメニュー画面を表示させるためのボタンである。マルチセレクタ１０３Ｃは、液晶モニタ１０４に表示されたメニューの中から所望の項目を選択可能なボタンである。マルチセレクタ１０３Ｃが押圧されると、押圧された方向にメニューの中の選択位置が変わる。決定ボタン１０３Ｄは、メニューの中から選択された項目を確定させるためのボタンである。マルチセレクタ１０３Ｃと決定ボタン１０３Ｄを操作することによって、液晶モニタ１０４に表示されたメニューより撮像装置１の各種設定を行うことができる。
【００１２】
図２は、撮像装置１の構成を説明するブロック図である。図２において撮像装置１は、制御回路１０１と、メモリ１０２と、操作部１０３と、液晶モニタ１０４と、外部インターフェイス（Ｉ／Ｆ）回路１０５と、測光装置１０６と、照明装置１０７と、メモリカードインターフェイス（Ｉ／Ｆ）１０８を備え、メモリカードインターフェイス１０８にはメモリカード１５０が実装される。
【００１３】
制御回路１０１は、制御プログラムに基づいて、撮像装置内各部から入力される信号を用いて所定の演算を行うなどして、撮像装置内各部に対する制御信号を送出することにより、撮像装置１の撮影動作および投影動作をそれぞれ制御する。なお、制御プログラムは制御回路１０１内の不図示のＲＯＭに格納される。
【００１４】
メモリ１０２は、制御回路１０１の作業用メモリとして使用される。操作部１０３はレリーズボタン１０３Ａなどを含み、操作されたボタンに対応する操作信号を制御回路１０１へ送出する。メモリカード１５０は、メモリカードインターフェイス１０８に着脱可能な外部記録媒体であり、制御回路１０１の指示により、該メモリカードへのデータの書き込み、および該メモリカードからのデータの読み出しが可能である。
【００１５】
液晶モニタ１０４は、制御回路１０１からの指示により画像やテキストなどの情報を表示する。外部インターフェイス回路１０５は、制御回路１０１からの指示により不図示のケーブルを介して外部機器（パーソナルコンピュータ、プリンタなど）との間でコマンドおよびデータを送受信する。
【００１６】
測光装置１０６は、測光センサによる検出信号を算出し、輝度情報を制御回路１０１へ送出する。測光装置１０６に含まれる測光センサは測光する被写界領域を複数領域に分割して測光可能な周知の分割測光が可能であり、本実施の形態においては、測光装置１０６は、該複数の分割された測光領域全ての平均値を被写体輝度とする被写界の平均測光値を被写体輝度情報として算出する。制御回路１０１は輝度情報に基づき、シャッター速度や絞り値等の露出設定値を算出する。
【００１７】
照明装置１０７は、撮影時に制御回路１０１から発光指示された場合に所定光量で、たとえば閃光発光し、被写体を照明する。照明光は撮像装置前方へ射出される。
【００１８】
撮像部１１０は、撮像光学系１１１、撮像素子１１２および撮像制御回路１１３を有し、制御回路１０１からの指示に応じて被写体の撮像を行う。撮像光学系１１１は、撮像素子１１２の撮像面上に被写体像を結像させる。撮像素子１１２としては、ＣＣＤやＣＭＯＳ撮像素子などが用いられる。撮像制御回路１１３は、制御回路１０１からの指示により撮像素子１１２を駆動制御するとともに、撮像素子１１２から出力される画像信号に対して所定の信号処理を行う。信号処理後の画像のデータは、所定形式の画像ファイルとしてメモリカード１５０に記録される。
【００１９】
図３を参照して、本発明の実施形態における液晶モニタ表示制御処理について説明する。例として、シャッター速度、絞り値などの撮像装置１の設定状態を表示した撮影設定情報表示画面を液晶モニタ１０４に表示した場合について説明する。本発明の実施形態における撮像装置１では、明るい被写体を撮影対象とする場合と、暗い被写体を撮影対象とする場合とでは、撮影設定情報表示画面の表示形態が異なる。
【００２０】
図３（ａ）、（ｂ）に示すように、撮影設定情報表示画面３０には、シャッター速度３１、絞り値３２、ファインダ視野の中で焦点を合わせる位置を表示するフォーカスエリア３３、撮像装置１に設けられた不図示の電池の残量を表示する電池残量表示３４、各種アイコン３５，３６、メモリカード１５０に記録可能なコマ数を表示した記録可能コマ数３７などが表示される。
【００２１】
図３（ａ）に示すように、明るい被写体を撮影する場合、シャッター速度３１、絞り値３２、フォーカスエリア３３、電池残量表示３４および各種アイコン３５，３６は暗く表示され、それら文字および図形３１〜３６の背景画像３８は、それら図形や文字３１〜３６に比べて明るく表示される。
【００２２】
図３（ｂ）に示すように、暗い被写体を撮影する場合、シャッター速度３１、絞り値３２、フォーカスエリア３３、電池残量表示３４および各種アイコン３５，３６は明るく表示され、それら文字および図形３１〜３６の背景画像３８は、それら図形や文字３１〜３６に比べて暗く表示される。つまり、暗い被写体を撮影する場合には、明るい被写体を撮影する場合におけるシャッター速度３１、絞り値３２、フォーカスエリア３３、電池残量表示３４および各種アイコン３５，３６と、それら文字および図形３１〜３６の背景画像３８の明るさの関係を反転させる。これにより、図３（ａ）に示した明るい被写体を撮影対象とする場合よりも液晶モニタ１０４全体としての表示輝度が暗くなる。
【００２３】
図４のフローチャートを参照して、本発明の実施形態における液晶モニタ表示制御処理について説明する。図４の処理は、撮像装置１が、被写体を撮影するモードに切り替わると、スタートするプログラムにより制御回路１０１において実行される。
【００２４】
ステップＳ４０１では、測光装置１０６から出力された輝度情報に基づいて輝度（ＢＶ）を検出する。ステップＳ４０２では、検出した輝度（ＢＶ）が所定の輝度（ＢＶ０）以上であるか否かを判定する。検出した輝度（ＢＶ）が所定の輝度（ＢＶ０）以上である場合はステップＳ４０１が肯定判定され、ステップＳ４０３に進む。検出した輝度（ＢＶ）が所定の輝度（ＢＶ０）より小さい場合はステップＳ４０１が否定判定され、ステップＳ４０４に進む。
【００２５】
ステップＳ４０３では、液晶モニタ１０４の表示を、液晶モニタ１０４に表示された文字および図形３１〜３６に比べてその背景画像３８を相対的に明るく表示する明視野用表示（図３（ａ）に対応）にする。ステップＳ４０４では、液晶モニタ１０４の表示を、液晶モニタ１０４に表示された文字および図形３１〜３６に比べてその背景画像３８を相対的に暗く表示する暗視野用表示（図３（ｂ）に対応）にする。
【００２６】
以上説明した実施形態によれば、次の作用効果が得られる。
（１）被写体が明るい場合、液晶モニタ１０４の表示形態を、液晶モニタ１０４に表示された文字および図形３１〜３６に比べてその背景画像３８を相対的に明るく表示する明視野用表示にした。一方、被写体が暗い場合、液晶モニタ１０４の表示形態を、明視野用表示に対して文字および図形３１〜３６と背景画像３８との間の明るさの関係を反転させた暗視野用表示にした。つまり、被写体が暗い場合は、被写体が明るい場合に比べて液晶モニタ１０４の全体の表示輝度が暗くなるように文字情報および図形情報３１〜３６の表示形態を変更するようにした。これにより、暗い被写体を撮影するとき、液晶モニタ１０４の表示による眩しさが低減し、被写体および液晶モニタ１０４に表示された文字および図形３１〜３６の視認性がよくなる。
【００２７】
被写体が暗いときに、液晶モニタ１０４の表示を明視野用表示にしても、ユーザの目が液晶モニタ１０４の表示に慣れ、液晶モニタ１０４の表示が眩しくない場合がある。この場合、ユーザの目の瞳孔は絞られているため、ユーザがファインダ１１４を覗いても被写体がよく見えず、撮影をすぐに行えないという問題点が生ずる。一方、液晶モニタ１０４の表示を暗視野用表示にすることによって、ユーザがファインダ１１４を覗いたときの被写体がよく見えない状態を緩和することができる。
【００２８】
（２）測光装置１０６から出力される輝度情報に基づいて、液晶モニタ１０４の表示を明視野用表示にするか暗視野用表示にするかを判定した。このため、液晶モニタ１０４の表示の判定を行うためにセンサを別途設けなくてもよく、撮像装置１の小型化、製造コストの削減を行うことができる。
【００２９】
以上の実施の形態を次のように変形することができる。
−他の実施の形態１−
以上の実施形態では、液晶モニタ１０４に表示された文字および図形のうちの一部の文字および図形について、文字および図形の表示の明るさとその背景の表示の明るさとの間の関係を反転させた。しかし、液晶モニタ１０４に表示された文字および図形の全ての文字および図形について、文字および図形の表示の明るさとその背景の表示の明るさとの間の関係を反転させるようにしてもよい。また、液晶モニタ１０４に文字のみ、または図形のみ表示される場合もあるので、液晶モニタ１０４に表示された文字および図形の少なくとも一方について、文字および図形の少なくとも一方の表示の明るさと、その背景の明るさとの間の関係を反転させるようにしてもよい。
【００３０】
−他の実施の形態２−
以上の実施形態では、液晶モニタ１０４に表示された文字および図形の表示の明るさと、その文字および図形の背景の表示の明るさとの間の大小関係を反転させた。さらに、文字および図形、その文字および図形の背景の色を変更するようにしてもよい。たとえば、被写体が明るい場合、文字および図形３１〜３６を紺色に表示し、その背景画像３８を水色に表示する。一方、被写体が暗い場合、文字および図形３１〜３６を水色に表示し、その背景画像３８を紺色に表示するようにしてもよい。このようにすることによって、液晶モニタ１０４に表示される文字および図形の視認性がさらに高くなる。
【００３１】
−他の実施の形態３−
検出した輝度（ＢＶ）が、液晶モニタ１０４の表示を明視野用表示と暗視野用表示との間で切り替える閾値（ＢＶ０）近傍の場合、液晶モニタ１０４の表示が明視野用表示と暗視野用表示との間で頻繁に切り替わることがある。このような現象は、ユーザにとって非常に目障りである。そこで、このような現象を抑制させるために検出した輝度（ＢＶ）に基づく明視野用表示と暗視野用表示との間の切り替えにヒステリシスを持たせるようにしてもよい。
【００３２】
たとえば、図５のフローチャートで示す液晶モニタ表示制御処理のように所定時間検出した輝度の平均値に基づいて、液晶モニタ１０４の表示を明視野用表示と暗視野用表示との間で切り替えるようにしてもよい。図５の処理は、撮像装置１が被写体を撮影するモードに切り替わるとスタートするプログラムにより制御回路１０１において実行される。図４の液晶モニタ表示制御処理と共通するステップは共通の符号を付し、図４の液晶モニタ表示制御処理と異なる部分を主に説明する。制御回路１０１に時間を計測するタイマが内蔵されているものとして説明する。
【００３３】
ステップＳ５０１では、タイマをリセットしてタイマの計測値（ｔ）の値を０にし、タイマをスタートする。そして、ステップＳ４０１へ進み、ステップＳ５０２へ進む。ステップＳ５０２では、検出した輝度（ＢＶ）をメモリ１０２に記憶する。ステップＳ５０３では、タイマの計測値（ｔ）が所定時間（ｔ０）以上になったか否かを判定する。タイマの計測値（ｔ）が所定時間（ｔ０）以上になった場合はステップＳ５０３が肯定判定され、ステップＳ５０４へ進む。タイマの計測値（ｔ）が所定時間（ｔ０）より小さい場合はステップＳ５０３が否定判定され、ステップＳ４０１に戻る。
【００３４】
ステップＳ５０４では、メモリ１０２に記憶した輝度（ＢＶ）の平均値（ＢＶａ）を算出する。ステップＳ５０５では、メモリ１０２に記憶した輝度（ＢＶ）を消去する。ステップＳ５０６では、算出した輝度（ＢＶ）の平均値（ＢＶａ）が所定の輝度（ＢＶ０）以上であるか否かを判定する。輝度（ＢＶ）の平均値（ＢＶａ）が所定の輝度（ＢＶ０）以上である場合はステップＳ５０６が肯定判定され、ステップＳ４０３に進む。輝度（ＢＶ）の平均値（ＢＶａ）が所定の輝度（ＢＶ０）より小さい場合はステップＳ５０６が否定判定され、ステップＳ４０４に進む。
【００３５】
図６のフローチャートに示すように、明視野用表示から暗視野用表示へ切り替えるときの閾値（ＢＶ０）と、暗視野用表示から明視野用表示へ切り替えるときの閾値（ＢＶ１）とを異なるようにしてもよい。ここで、ＢＶ１はＢＶ０より大きい値である。図６の処理は、撮像装置１が被写体を撮影するモードに切り替わるとスタートするプログラムにより制御回路１０１において実行される。
【００３６】
ステップＳ６０１では、液晶モニタ１０４の表示が明視野用表示であるか否かを判定する。液晶モニタ１０４の表示が明視野用表示である場合はステップＳ６０１が肯定判定され、ステップＳ６０２へ進む。液晶モニタ１０４の表示が暗視野用表示である場合はステップＳ６０１が否定判定され、ステップＳ６０５へ進む。
【００３７】
ステップＳ６０２では、測光装置１０６から出力された輝度情報に基づいて輝度（ＢＶ）を検出する。ステップＳ６０３では、検出した輝度（ＢＶ）が所定の輝度（ＢＶ０）以上であるか否かを判定する。検出した輝度（ＢＶ）が所定の輝度（ＢＶ０）以上である場合はステップＳ６０３が肯定判定され、リターンする。検出した輝度（ＢＶ）が所定の輝度（ＢＶ０）より小さい場合はステップＳ６０３が否定判定され、ステップＳ６０４に進む。ステップＳ６０４では、液晶モニタ１０４の表示を暗視野用表示にする。
【００３８】
ステップＳ６０５では、測光装置１０６から出力された輝度情報に基づいて輝度（ＢＶ）を検出する。ステップＳ６０６では、検出した輝度（ＢＶ）が所定の輝度（ＢＶ１）以上であるか否かを判定する。ここで、ＢＶ１はＢＶ０より大きい。検出した輝度（ＢＶ）が所定の輝度（ＢＶ１）以上である場合はステップＳ６０６が肯定判定され、ステップＳ６０７へ進む。検出した輝度（ＢＶ）が所定の輝度（ＢＶ１）より小さい場合はステップＳ６０３が否定判定され、リターンする。ステップＳ６０７では、液晶モニタ１０４の表示を明視野用表示にする。
【００３９】
−他の実施の形態４−
明視野用表示と暗視野用表示との間で表示を切り替える基準となる輝度を測光装置１０６によって検出した。しかし、撮像部１１０の撮像素子１１２から出力される画像信号より輝度を検出するようにしてもよい。また、撮像装置１の周囲の明るさを検出することができれば、検出する明るさは被写体の明るさに限定されない。
【００４０】
−他の実施の形態５−
図７に示すように撮像装置１に接眼検知センサ１０９を設け、ユーザの目がファインダ１１４に近づいたら液晶モニタ１０４の表示が暗視野用表示に切り替わるようにしてもよい。ファインダ１１４を覗こうとしたとき、液晶モニタ１０４の表示がユーザの視野に入る。ファインダ１１４を覗いたときの視野は、覗かないときの視野に比べて一般的に暗い。このため、液晶モニタ１０４の表示が明るいと、ファインダ１１４を覗いたとき被写体がよく見えない場合がある。ユーザの目がファインダ１１４に近づいたら液晶モニタ１０４の表示が暗視野用表示に切り替わるようにすることによって、上述の被写体をよく見えない状態を抑制することができる。
【００４１】
接眼検知センサ１０９は、発光素子１０９Ａと受光素子１０９Ｂとを有する。ユーザがファインダ１１４に接眼しようとしてユーザの目がファインダ１１４に近づくと、発光素子１０９Ａから放射された光がユーザの目などに反射する。そして、この反射光を受光素子１０９Ｂが検出することによって、ユーザがファインダ１１４を覗こうとすることを検出する。
【００４２】
図８のフローチャートを参照して、接眼検知センサ１０９の検出結果に基づく液晶モニタ表示制御処理について説明する。図８の処理は、撮像装置１が被写体を撮影するモードに切り替わるとスタートするプログラムにより制御回路１０１において実行される。図４の液晶モニタ表示制御処理と共通するステップは共通の符号を付し、図４の液晶モニタ表示制御処理と異なる部分を主に説明する。
【００４３】
ステップＳ８０１では、接眼検知センサ１０９から出力された信号を検出する。ステップＳ８０２では、ユーザの目がファインダ１１４に近づいたか否かを判定する。ユーザの目がファインダ１１４に近づいた場合はステップＳ８０２が肯定判定され、ステップＳ４０４に進む。ユーザの目がファインダ１１４に近づいていない場合はステップＳ８０２が否定判定され、ステップＳ４０３に進む。
【００４４】
液晶もモニタ１０４の表示が暗視野表示の場合、ユーザの目がファインダ１１４に近づいても液晶モニタ１０４の表示を切り替える必要がない。したがって、測光装置１０６の検出結果と、接眼検知センサ１０９の検出結果とに基づいて、液晶モニタ１０４の表示が明視野用表示と暗視野用表示との間で切り替わるようにしてもよい。
【００４５】
−他の実施の形態６−
検出した輝度に基づいて明視野用表示と暗視野用表示との間で液晶モニタ１０４の表示を切り替えるようにしたが、手動で液晶モニタ１０４の表示設定を、明視野用表示と暗視野用表示との間で切り替えられるようにしてもよい。
【００４６】
たとえば、図９（ａ）に示すように、撮像装置１に液晶モニタ表示切替ボタン１０３を設けてもよい。ユーザが液晶モニタ表示切替ボタン１０３を押圧すると、明視野用表示と暗視野用表示との間で液晶モニタ１０４の表示設定が切り替わる。
【００４７】
図９（ｂ）に示すように、液晶モニタ１０４に表示されるメニューから明視野用表示と暗視野用表示との間で液晶モニタ１０４の表示を切り替えられるようにしてもよい。メニューボタン１０３Ｂを押圧して液晶モニタ１０４に不図示の設定メニューを表示させた後、マルチセレクタ１０３Ｃと決定ボタン１０３Ｄを操作してカスタムメニューを選択し、「液晶モニタの表示設定」を選択する。その結果、図９（ｂ）に示すように、液晶モニタ１０４の表示を選択するメニュー９０が表示される。液晶モニタ１０４の表示を選択するメニュー９０の中から「オート」を選択すると、測光装置１０６が検出した輝度によって液晶モニタ１０４の表示が明視野用表示と暗視野用表示との間で切り替わるようになる。「明視野用表示」を選択すると、液晶モニタ１０４の表示設定が明視野用表示になり、「暗視野用表示」を選択すると、液晶モニタ１０４の表示設定が暗視野用表示になる。
【００４８】
ユーザの好みで液晶モニタ１０４の表示を明視野用表示と暗視野用表示との間で切り替えることができ、撮像装置１の利便性が向上する。
【００４９】
−他の実施の形態７−
明視野用表示と暗視野用表示との間で表示を切り替える表示器は、撮像装置１の外部に設けられた表示器であれば、撮像装置１の背面に設けられた液晶モニタ１０４に限定されない。たとえば、図１０（ａ）に示すように、撮像装置１Ａの上面に設けられた上面表示パネル１０４Ａについても明視野用表示と暗視野用表示との間で表示が切り替わるようにしてもよい。図１０（ｂ）に上面表示パネル１０４Ａの明視野用表示を、図１０（ｃ）に上面表示パネル１０４Ａの暗視野用表示を示す。この場合も、暗い被写体を撮影するとき、上面表示パネル１０４Ａに表示された文字および図形の視認性がよくなる。また、上面表示パネル１０４Ａの表示が眩しくなるのを抑制し、ファインダ１１４を覗いたとき被写体がよく見えないのを抑制することができる。
【００５０】
−他の実施の形態８−
背景画像３８と明るさの関係を反転させるものは、情報伝達のために液晶モニタ１０４に表示される表示対象画像であれば、文字および図形３１〜３６に限定されない。撮像装置１の周囲が暗いときに背景画像に対する表示対象画像の視認性を向上させるように、背景画像および表示対象が像の表示態様を変更するものであれば、背景画像と表示対象画像の明るさの関係を反転することに限定されない。
【００５１】
−他の実施の形態９−
なお、被写界領域の中央部分の分割領域に重みを付けて全分割領域を平均して被写体輝度情報を算出する中央重点測光、被写界中央部のみ又は焦点検出領域に相当する領域およびその近傍のみを考慮して被写体輝度情報を算出する重点測光等によって被写体輝度情報を算出してもよい。
【００５２】
以上の説明はあくまで一例であり、本発明は上記実施形態の構成に何ら限定されるものではない。
【図面の簡単な説明】
【００５３】
【図１】本発明の一実施の形態による撮像装置の外観図である。
【図２】本発明の実施形態における撮像装置の構成を説明するブロック図である。
【図３】明るい被写体を撮影する場合と暗い被写体を撮影する場合とでの液晶モニタの表示を説明するための図である。
【図４】本発明の実施形態における液晶モニタ表示制御処理を説明するためのフローチャートである。
【図５】検出した輝度に基づく明視野用表示と暗視野用表示との間の切り替えにヒステリシスを持たせた場合の第１の液晶モニタ表示制御処理を説明するためのフローチャートである。
【図６】検出した輝度に基づく明視野用表示と暗視野用表示との間の切り替えにヒステリシスを持たせた場合の第２の液晶モニタ表示制御処理を説明するためのフローチャートである。
【図７】撮像装置に設けられた接眼検知センサを説明するための図である。
【図８】接眼検知センサの出力に基づく液晶モニタ表示制御処理を説明するためのフローチャートである。
【図９】液晶モニタの表示の手動切り替えを説明するための図である。
【図１０】上面表示パネルの表示切替を説明するための図である。
【符号の説明】
【００５４】
１，１Ａ  撮像装置
１０１  制御回路
１０３Ｂ  メニューボタン
１０３Ｃ  マルチセレクタ
１０３Ｄ  決定ボタン
１０３Ｅ  液晶モニタ表示切替ボタン
１０４  液晶モニタ
１０４Ａ  上面表示パネル
１０６  測光装置
１０９  接眼検知センサ
１１２  撮像素子
１１４  ファインダ
【図１】
2009038613.tif 000003
【図２】
2009038613.tif 000004
【図３】
2009038613.tif 000005
【図４】
2009038613.tif 000006
【図５】
2009038613.tif 000007
【図６】
2009038613.tif 000008
【図７】
2009038613.tif 000009
【図８】
2009038613.tif 000010
【図９】
2009038613.tif 000011
【図１０】
2009038613.tif 000012